(57)【要約】  デジタルカメラ（１００）は、撮影光学系の光軸方向に移動可能に設けられた金属製のレンズ鏡筒（３）と、バッテリーを収容するバッテリーケース（１０）を備える。バッテリーケース（１０）は、バッテリーケース（１０）の一部を切り起こして形成された切り起し部（１１）を有する。切り起し部（１１）は、金属製の前面ケース（１）に接触するように設けられ、静電気により帯電したレンズ鏡筒（３）は、切り起こし部（１１）を含む放電経路を介して放電される。
2014049896.tif 000002
【特許請求の範囲】
【請求項１】
金属体と、
撮影光学系の光軸方向に移動可能に設けられた金属製のレンズ鏡筒とを備えた撮像装置であって、
上記金属体は、上記金属体の一部を切り起こして形成された切り起し部を有し、
上記切り起し部は、静電気により帯電した上記レンズ鏡筒を、当該切り起こし部を含む放電経路を介して放電するように形成された撮像装置。
【請求項２】
上記撮像装置は、上記レンズ鏡筒を上記撮像装置の内部から外部に露出させる開口部を有する金属製の外装ケースを備え、
上記切り起し部は、上記外装ケースに電気的に接続された請求項１記載の撮像装置。
【請求項３】
上記撮像装置は、上記レンズ鏡筒を上記撮像装置の内部から外部に露出させる開口部を有する金属製の外装ケースを備え、
上記切り起し部は、上記外装ケースに誘導結合された請求項１記載の撮像装置。
【請求項４】
上記撮像装置は、上記レンズ鏡筒を上記撮像装置の内部から外部に露出させる開口部を有する金属製の外装ケースを備え、
上記外装ケースは、上記開口部に設けられた金属製のレンズ飾りリングを備え、
上記切り起し部は、上記レンズ飾りリングに電気的に接続された請求項１記載の撮像装置。
【請求項５】
上記撮像装置は、上記レンズ鏡筒を上記撮像装置の内部から外部に露出させる開口部を有する金属製の外装ケースを備え、
上記外装ケースは、上記開口部に設けられた金属製のレンズ飾りリングを備え、
上記切り起し部は、上記レンズ飾りリングに誘導結合された請求項１記載の撮像装置。
【請求項６】
上記撮像装置は、上記レンズ鏡筒を上記撮像装置の本体に固定する金属製のレンズ鏡筒枠を備え、
上記切り起し部は、上記レンズ鏡筒枠に電気的に接続された請求項１記載の撮像装置。
【請求項７】
上記撮像装置は、上記レンズ鏡筒を上記撮像装置の本体に固定する金属製のレンズ鏡筒枠を備え、
上記切り起し部は、上記レンズ鏡筒枠に誘導結合された請求項１記載の撮像装置。
【請求項８】
上記撮像装置は、フレキシブルケーブルを備え、
上記フレキシブルケーブルは、上記金属体と誘導結合しないように離隔された請求項１から７までのうちのいずれか１つに記載の撮像装置。
【請求項９】
上記フレキシブルケーブルは、上記金属体に面対向しないように離隔された請求項８記載の撮像装置。
【請求項１０】
上記金属体は、バッテリーを収容する金属製のバッテリーケースである請求項１から９までのうちのいずれか１つに記載の撮像装置。
【発明の詳細な説明】
【技術分野】
【０００１】
本開示は、撮像装置に関する。
【背景技術】
【０００２】
特許文献１は、静電気により帯電した突出状態の鏡筒から、静電気放電によって生じる電流を接地に逃がす撮像装置を開示する。この撮像装置は、制御信号が供給される第１配線部とは別に、一端がレンズ枠上に接続され他端が接地電位に電気的に接続された第２配線部を、鏡筒内部に配設されたフレキシブル基板に設ける。これにより、鏡筒が突出状態にある際に静電気放電によって生じる電流を、第２配線部を介して接地に逃がすことができる。
【先行技術文献】
【特許文献】
【０００３】
【特許文献１】特開２００５−３０１１５８号公報
【特許文献２】特許第４１２０９４０号公報
【特許文献３】特許第４５９４７０５号公報
【特許文献４】特許第４９６１３６０号公報
【特許文献５】特開２０１０−７２０９６号公報
【特許文献６】米国特許第７０５７６４２号明細書
【発明の概要】
【発明が解決しようとする課題】
【０００４】
本開示は、静電気による誤動作を軽減するのに有効な撮像装置を提供する。
【課題を解決するための手段】
【０００５】
本開示における撮像装置は、金属体と、撮影光学系の光軸方向に移動可能に設けられた金属製のレンズ鏡筒とを備えた撮像装置であって、金属体は、金属体の一部を切り起こして形成された切り起し部を有し、切り起し部は、静電気により帯電したレンズ鏡筒を、当該切り起こし部を含む放電経路を介して放電するように形成される。
【発明の効果】
【０００６】
本開示における撮像装置は、静電気による誤動作を軽減するのに有効である。
【図面の簡単な説明】
【０００７】
【図１】実施の形態１に係るデジタルカメラ１００の外観を示す斜視図
【図２】図１の前面ケース１およびレンズ飾りリング４を取り外したときのデジタルカメラ１００の構成を示す正面図
【図３】図２の正面図からバッテリーケース１０をさらに取り外したときのデジタルカメラ１００の構成を示す正面図
【図４】図２のバッテリーケース１０に設けられた切り起し部１１の構成を示す斜視図
【図５】図１の前面ケース１と、バッテリーケース１０と、切り起し部１１と、レンズ飾りリング４とを示す斜視図
【図６】図２のＡ−Ａ’線における断面図
【図７】図１のデジタルカメラ１００における静電気電流の放電経路を示す経路図
【図８】実施の形態２に係るデジタルカメラ１００Ａの前面ケース１と、バッテリーケース１０Ａと、切り起し部１４と、レンズ飾りリング４とを示す斜視図
【図９】図８のデジタルカメラ１００Ａにおける静電気電流の放電経路を示す経路図
【図１０】実施の形態３に係るデジタルカメラ１００Ｂ内の構成を示す正面図
【図１１】図１０のデジタルカメラ１００Ｂにおける静電気電流の放電経路を示す経路図
【図１２】実施の形態４に係るデジタルカメラ１００Ｃ内の構成を示す正面図
【図１３】図１２のデジタルカメラ１００Ｃにおける静電気電流の放電経路を示す経路図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者らは、当業者が本開示を十分に理解するために添付図面および以下の説明を提供するのであって、これらによって特許請求の範囲に記載の主題を限定することを意図するものではない。
【００１０】
ユーザーがデジタルスチルカメラやデジタルビデオカメラ等の撮像装置に触れたときなどに、撮像装置の筐体外装において静電気が発生し、筐体外装から装置内部の金属部品および電気回路に電流が流れ込む。以下、静電気に起因して流れる電流を静電気電流という。静電エネルギーが大きい場合には、撮像装置の動作を制御する電気回路および電気回路を動作させるために設けられる電源回路にまで静電気電流が流れ込む。静電気電流は、撮像装置の機能の動作不良を引き起こし、場合によっては、電気回路上に実装されている電子部品の破壊等の悪影響を撮像装置に及ぼす。
【００１１】
近年、デザイン加飾および落下衝撃に対する強度確保の観点から、レンズ鏡筒の金属化が主流となっている。また、レンズ鏡筒と金属製の外装との間に、狭空間が増加する傾向にある。このような狭空間おいて静電気が発生すると、静電気放電が発生しやすい。また、金属導体間の狭空間の放電抵抗は比較的小さいので、金属導体が互いに誘導結合し、静電エネルギーが大きくなることが知られている。さらに、光学系の技術的な進歩に伴い、撮像装置には、高倍率（高ズーム）化した小型沈胴レンズも搭載されている。小型沈胴レンズは、同心円状の多段構成の金属鏡筒構造を有しており、このことも、金属導体間の狭空間における静電エネルギー増大の要因となる。また、撮像装置の小型化に伴い金属導体部品間の間隔が狭くなっており、静電気電流がフレキシブル基板に流れやすくなっている。
【００１２】
撮影時に筐体外装から突出する沈胴式のレンズ鏡筒は、ズーム動作時などに動くので、レンズ鏡筒と筐体外装との間には所定の空隙が設けてられている。また、鏡筒の内部には、ズームおよびフォーカスなどのレンズ動作を制御する電気回路から、動作部に制御信号を供給するフレキシブル基板が配設されている。このような撮像装置においては、静電気により帯電したレンズ鏡筒部分などから、気中放電によりフレキシブル基板に静電気電流が流れ込んだ場合でも、フレキシブル基板を介して電気回路に静電気流が流れ、電気回路の動作および電気回路を構成する電子部品に悪影響を与える恐れがある。
【００１３】
本願の発明者らは、このような課題を解決するために、静電気に起因する撮像装置の誤作動を効率良く低減させる構成について検討と実験を行なった。
【００１４】
（実施の形態１）
以下、図１〜図７を用いて、実施の形態１を説明する。
【００１５】
［１−１．構成］
図１は、実施の形態１に係るデジタルカメラ１００の外観を示す斜視図であり、図２は、図１の前面ケース１およびレンズ飾りリング４を取り外したときのデジタルカメラ１００の構成を示す正面図である。また、図３は、図２の正面図からバッテリーケース１０をさらに取り外したときのデジタルカメラ１００の構成を示す正面図であり、図４は、図２のバッテリーケース１０に設けられた切り起し部１１の構成を示す斜視図である。さらに、図５は、図１の前面ケース１と、バッテリーケース１０と、切り起し部１１と、レンズ飾りリング４とを示す斜視図であり、図６は図２のＡ−Ａ’線における断面図である。なお、本実施の形態および以下の各実施の形態において、説明の便宜上、デジタルカメラ１００，１００Ａ，１００Ｂおよび１００Ｃの被写体側の面を前面といい、撮像面側の面を後ろまたは背面という。
【００１６】
図１〜図３に示すように、デジタルカメラ１００は、金属製の前面ケース１と、金属製の背面ケース２と、金属製のレンズ飾りリング４とからなる外装ケース２０内に、カメラ本体およびバッテリーケース１０を収容することにより構成されている。前面ケース１と、背面ケース２と、レンズ飾りリング４とを含む外装ケース２０の表面は、塗装およびアルマイト処理により非導通にされている。また、図１において、外装ケース２０の上面部には、ユーザーによるシャッター操作を受け付けるシャッターボタン５などの操作ボタンが設けられている。外装ケース２０の前面の前面ケース１は、レンズ鏡筒３をデジタルカメラ１００の内部から外部に露出させるための開口部１０ａを有している。レンズ飾りリング４は前面ケース１の開口部１０ａの前面側に固定されており、レンズ鏡筒３は、レンズ飾りリング４内に設けられている。ここで、レンズ鏡筒３とレンズ飾りリング４との間には所定の隙間が設けられている。さらに、レンズ鏡筒３は、レンズ鏡筒３をカメラ本体に固定するための金属製のレンズ鏡筒枠１３に固定されている。また、図示していないが、外装ケース２０の背面の背面ケース２には、カメラモニタ、電子ビューファインダーおよび液晶ディスプレイなどが設けられている。
【００１７】
図２に示すように、カメラ本体は、レンズ鏡筒３と、レンズ鏡筒枠１３と、レンズ鏡筒３を収納する樹脂製のレンズユニット６と、レンズ鏡筒３を駆動するズームモータ７およびフォーカスモータ８と、電子基板９（図３参照。）と、フレキシブルケーブル１２と、イメージセンサー（図示せず。）とを備えて構成される。カメラ本体の各部品３，６〜９，１２，１３は、外装ケース内の空間の所定の各位置にそれぞれ配置される。
【００１８】
ここで、レンズ鏡筒３は、外装ケース２０の外部に露出する態様で、かつ、撮影光学系の光軸方向に移動可能に設けられた同心円状の２段式鏡筒である。レンズ鏡筒３はアルミニウムなどの金属製で、表面にアルマイト処理や塗装がなされている。レンズ鏡筒３は、図２に示す収納状態から図１に示す撮影時のズーム状態に応じて伸縮するように制御される。また、イメージセンサーは、レンズ鏡筒３の背面に配置され、レンズ鏡筒３を含む撮影光学系によって結像された光学像を撮像するＣＣＤ（Charge Coupled Device）またはＣＭＯＳ（Complementary Metal Oxide Semiconductor Image Sensor）などで構成される。レンズ鏡筒３は、レンズを介して入射される被写体の光学像である被写体像を、イメージセンサーに照射する。イメージセンサーは、照射された被写体像を画像データに変換して、静止画データおよび動画データなどを生成する。
【００１９】
図２において、バッテリーケース１０は外装ケース２０内に設けられる。バッテリーケース１０は、アルミニウムなどの金属材料で形成されており、図２の紙面に実質的に平行な矩形形状を有し、デジタルカメラ１００の電源であるバッテリー（図示せず。）を収容する。図４に示すように、バッテリーケース１０のレンズ鏡筒３側の部分は、デジタルカメラ１００の背面に向けて実質的に直角に折り曲げられ、側面１０ｓを構成する。さらに、バッテリーケース１０は、バッテリーケース１０のレンズ鏡筒３側の一部を前面ケース１側に切り起こして形成された切り起し部１１を有する。ここで、図５に示すように、切り起し部１１の先端は前面ケース１に接触している。また、前面ケース１の表面において、切り起し部１１の先端が接触している部分には、塗装およびアルマイト処理は施されていない。これにより、切り起し部１１は前面ケース１に電気的に接続され、切り起し部１１と前面ケース１とは導通状態にされている。後述するように、切り起し部１１は、レンズ鏡筒３において発生した静電気電流を接地に誘導する静電気誘導部として機能する。
【００２０】
図３に示すように、電子基板９はバッテリーケース１０の背面に設けられる。電子基板９には、制御系ＬＳＩ（Large Scale Integration）などの電気回路が配置され、例えばＦＰＣ（Flexible Printed Circuit）ケーブルであるフレキシブルケーブル１２の一端のコネクタ１２ｃに接続される。さらに、フレキシブルケーブル１２の他端はズームモータ７およびフォーカスモータ８に接続される。電子基板９からの制御信号は、フレキシブルケーブル１２を介してズームモータ７およびフォーカスモータ８に出力される。
【００２１】
図３において、フレキシブルケーブル１２と、バッテリーケース１０とは、レンズ鏡筒３の外周に設けられる。ここで、図６に示すように、フレキシブルケーブル１２は、フレキシブルケーブル１２がバッテリーケース１０と誘導結合しないように、バッテリーケース１０から離隔される。具体的には、フレキシブルケーブル１２は、バッテリーケース１０のレンズ鏡筒３側の側面１０ｓに面対向しない（平行にならない）位置に、バッテリーケース１０との間に所定の間隔を設けて配置される。これにより、バッテリーケース１０とフレキシブルケーブル１２との間で静電気放電が起きない。
【００２２】
［１−２．動作］
次に、レンズ鏡筒３で発生した静電気に起因する静電気電流を、接地に逃がす経路を説明する。
【００２３】
図７は、図１のデジタルカメラ１００における静電気電流の放電経路を示す経路図である。図７および以下の図９、図１１および図１３において、ハッチングされた矢印は、当該矢印の両端に記載された２つの構成要素間の接触している経路を表す。このとき、矢印の両端に記載された構成要素は互いに接触し、接触している経路を介して電気的に接続され、導通状態にある。また、ハッチングされていない矢印は、当該矢印の両側に記載された２つの構成要素間の非接触の経路を表す。このとき、矢印の両側に記載された構成要素は互いに接触せずに近接しており、非接触の経路を介して誘導結合している。
【００２４】
図７において、レンズ鏡筒３が駆動されたとき、レンズ鏡筒３において静電気が発生し、レンズ鏡筒３およびその近傍の部分が帯電する。そして、レンズ鏡筒３の段間の隙間に、静電気放電により静電気電流が流れる。さらに、レンズ鏡筒３とレンズ飾りリング４とは、レンズ鏡筒３とレンズ飾りリング４との間の隙間を介して誘導結合するので、静電気電流は、レンズ鏡筒３からこの隙間（非接触の経路である。）を介してレンズ飾りリング４に流れる。そして、レンズ飾りリング４から、前面ケース１と、前面ケース１に接触している切り起し部１１とを介して、バッテリーケース１０の本体に流れる。バッテリーケース１０の本体に流れた静電気電流は、切り起し部１１と、外装ケース２０全体と、ユーザーとを含む放電経路を介して接地に流れる。
【００２５】
［１−３．効果等］
以上説明したように、実施の形態１のデジタルカメラ１００は、バッテリーケース１０と、撮影光学系の光軸方向に移動可能に設けられた金属製のレンズ鏡筒３とを備える。ここで、バッテリーケース１０は、バッテリーケース１０の一部を切り起こして形成された切り起し部１１を有し、切り起し部１１は、静電気により帯電したレンズ鏡筒３を、当該切り起こし部１１を含む放電経路を介して放電するように形成される。また、デジタルカメラ１００は、レンズ鏡筒３をデジタルカメラ１００の内部から外部に露出させる開口部１０ａを有する金属製の外装ケース２０を備え、切り起し部１１は、外装ケース２０に電気的に接続される。
【００２６】
したがって、レンズ鏡筒３で発生した静電気電流は、電子基板９を介することなく、外装ケース２０のレンズ飾りリング４及び前面ケース１と、切り起し部１１と、バッテリーケース１０の本体とを含む放電経路を介して接地に流れ、帯電したレンズ鏡筒３は放電される。このため、電子基板９上に配置されている制御系ＬＳＩが誤動作することを回避できる。すなわち、デジタルカメラ１００の誤動作を低減できる。
【００２７】
また、フレキシブルケーブル１２は、バッテリーケース１０と面対向しない位置に配置され、バッテリーケース１０から離隔された。バッテリーケース１０に流れる静電気電流は高周波電流であるため、表皮効果によりバッテリーケース１０の表面にしか流れない。さらに、バッテリーケース１０において、高周波電流に比例した高週波磁界が発生する。このため、フレキシブルケーブル１２がバッテリーケース１０の側面１０ｓと面対向する位置に設けられた場合、フレキシブルケーブル１２がバッテリーケース１０と誘導結合し、フレキシブルケーブル１２に誘導起電力が発生し、フレキシブルケーブル１２を介して電子基板９上の制御系ＬＳＩに電流が流れる。この結果、電子基板９上の制御系ＬＳＩは誤作動する。これに対して、本実施の形態では、フレキシブルケーブル１２は、バッテリーケース１０と面対向しない位置に配置されたので、フレキシブルケーブル１２がバッテリーケース１０と誘導結合することを防止できる。したがって、電子基板９上の制御系ＬＳＩが誤作動することを防止できる。
【００２８】
なお、本実施の形態において、切り起し部１１は前面ケース１に接触したが、本開示はこれに限られない。切り起し部１１を、前面ケース１と誘導結合するように、所定の隙間を介して前面ケース１に近接して設けてもよい。この場合、切り起こし１１と前面ケース１との間の間隔は、例えば、０．５ｍｍ以下に設定される。
【００２９】
（実施の形態２）
以下、図１〜図３および図８〜図９を用いて、実施の形態２を説明する。
【００３０】
［２−１．構成］
図８は、実施の形態２に係るデジタルカメラ１００Ａの前面ケース１と、バッテリーケース１０Ａと、切り起し部１４と、レンズ飾りリング４とを示す斜視図である。本実施の形態に係るデジタルカメラ１００Ａは、実施の形態１に係るデジタルカメラ１００に比較して、バッテリーケース１０に代えてバッテリーケース１０Ａを備えた点のみが異なり、その他の点においてデジタルカメラ１００と同様に構成される。以下、実施の形態１との間の相違点のみを説明する。
【００３１】
図８において、バッテリーケース１０Ａは、バッテリーケース１０に比較して、切り起し部１１に代えて切り起し部１４を有する。ここで、切り起し部１４の先端は金属製のレンズ飾りリング４に接触している。また、レンズ飾りリング４の表面において、切り起し部１４の先端が接触している部分には、塗装およびアルマイト処理は施されていない。これにより、切り起し部１４はレンズ飾りリング４に電気的に接続され、切り起し部１４とレンズ飾りリング４とは導通状態にされている。後述するように、切り起し部１４は、レンズ鏡筒３において発生した静電気電流を接地に誘導する静電気誘導部として機能する。
【００３２】
［２−２．動作］
次に、レンズ鏡筒３で発生した静電気に起因する静電気電流を、接地に逃がす経路を説明する。
【００３３】
図９は、図８のデジタルカメラ１００Ａにおける静電気電流の放電経路を示す経路図である。図９において、レンズ鏡筒３が駆動されたとき、レンズ鏡筒３において静電気が発生し、レンズ鏡筒３およびその近傍の部分が帯電する。そして、レンズ鏡筒３の段間の隙間に、静電気放電により静電気電流が流れる。さらに、レンズ鏡筒３とレンズ飾りリング４とは、レンズ鏡筒３とレンズ飾りリング４との間の隙間を介して誘導結合するので、静電気電流は、レンズ鏡筒３からこの隙間（非接触の経路である。）を介してレンズ飾りリング４に流れる。そして、レンズ飾りリング４から、レンズ飾りリング４に接触している切り起し部１４を介して、バッテリーケース１０Ａの本体に流れる。バッテリーケース１０Ａの本体に流れた静電気電流は、切り起し部１４と、外装ケース２０全体と、ユーザーとを含む放電経路を介して接地に流れる。
【００３４】
［２−３．効果等］
以上説明したように、実施の形態２のデジタルカメラ１００Ａは、バッテリーケース１０Ａと、撮影光学系の光軸方向に移動可能に設けられた金属製のレンズ鏡筒３とを備える。ここで、バッテリーケース１０Ａは、バッテリーケース１０Ａの一部を切り起こして形成された切り起し部１４を有し、切り起し部１４は、静電気により帯電したレンズ鏡筒３を、当該切り起こし部１４を含む放電経路を介して放電するように形成される。また、デジタルカメラ１００Ａは、レンズ鏡筒３をデジタルカメラ１００Ａの内部から外部に露出させる開口部１０ａを有する金属製の外装ケース２０を備え、外装ケース２０は、開口部１０ａに設けられた金属製のレンズ飾りリング４を備え、切り起し部１４は、レンズ飾りリング４に電気的に接続される。
【００３５】
したがって、レンズ鏡筒３で発生した静電気電流は、電子基板９を介することなく、レンズ飾りリング４と、切り起し部１４と、バッテリーケース１０Ａの本体とを含む放電経路を介して接地に流れ、帯電したレンズ鏡筒３は放電される。このため、電子基板９上に配置されている制御系ＬＳＩが誤動作することを回避できる。すなわち、デジタルカメラ１００Ａの誤動作を低減できる。
【００３６】
なお、本実施の形態において、切り起し部１４はレンズ飾りリング４に接触したが、本開示はこれに限られない。切り起し部１４を、レンズ飾りリング４と誘導結合するように、所定の隙間を介してレンズ飾りリング４に近接して設けてもよい。この場合、切り起こし１４とレンズ飾りリング４との間の間隔は、例えば、０．５ｍｍ以下に設定される。
【００３７】
（実施の形態３）
以下、図１および図１０〜図１１を用いて、実施の形態３を説明する。
【００３８】
［３−１．構成］
図１０は、実施の形態３に係るデジタルカメラ１００Ｂ内の構成を示す正面図である。本実施の形態に係るデジタルカメラ１００Ｂは、実施の形態１に係るデジタルカメラ１００に比較して、バッテリーケース１０に代えてバッテリーケース１０Ｂを備えた点のみが異なり、その他の点においてデジタルカメラ１００と同様に構成される。以下、実施の形態１との間の相違点のみを説明する。
【００３９】
図１０において、バッテリーケース１０Ｂは、バッテリーケース１０に比較して、切り起し部１１に代えて切り起し部１５を有する。ここで、切り起し部１５の先端は金属製のレンズ鏡筒枠１３の側面に接触している。また、レンズ鏡筒枠１３の表面において、切り起し部１５の先端が接触している部分には、塗装およびアルマイト処理は施されていない。これにより、切り起し部１５はレンズ鏡筒枠１３に電気的に接続され、切り起し部１５とレンズ鏡筒枠１５とは導通状態にされている。後述するように、切り起し部１５は、レンズ鏡筒３において発生した静電気電流を接地に誘導する静電気誘導部として機能する。
【００４０】
［３−２．動作］
次に、レンズ鏡筒３で発生した静電気に起因する静電気電流を、接地に逃がす経路を説明する。
【００４１】
図１１は、図１０のデジタルカメラ１００Ｂにおける静電気電流の放電経路を示す経路図である。図１１において、レンズ鏡筒３が駆動されたとき、レンズ鏡筒３において静電気が発生し、レンズ鏡筒３およびその近傍の部分が帯電する。そして、レンズ鏡筒３の段間の隙間に、静電気放電により静電気電流が流れる。さらに、静電気電流は、レンズ鏡筒３から、レンズ鏡筒３に接触しているレンズ鏡筒枠１３に流れる。そして、レンズ鏡筒枠１３から、レンズ鏡筒枠１３に接触している切り起し部１５を介して、バッテリーケース１０Ｂの本体に流れる。バッテリーケース１０Ｂの本体に流れた静電気電流は、切り起し部１５と、外装ケース２０全体と、ユーザーとを含む放電経路を介して接地に流れる。
【００４２】
［３−３．効果等］
以上説明したように、実施の形態３のデジタルカメラ１００Ｂは、バッテリーケース１０Ｂと、撮影光学系の光軸方向に移動可能に設けられた金属製のレンズ鏡筒３とを備える。ここで、バッテリーケース１０Ｂは、バッテリーケース１０Ｂの一部を切り起こして形成された切り起し部１５を有し、切り起し部１５は、静電気により帯電したレンズ鏡筒３を、当該切り起こし部１５を含む放電経路を介して放電するように形成される。また、デジタルカメラ１００Ｂは、レンズ鏡筒３をデジタルカメラ１００Ｂの本体に固定する金属製のレンズ鏡筒枠１３を備え、切り起し部１５は、レンズ鏡筒枠１３に電気的に接続される。
【００４３】
したがって、レンズ鏡筒３で発生した静電気電流は、電子基板９を介することなくレンズ鏡筒枠１３と、切り起し部１５と、バッテリーケース１０Ｂの本体とを含む放電経路を介して接地に流れ、帯電したレンズ鏡筒３は放電される。このため、電子基板９上に配置されている制御系ＬＳＩが誤動作することを回避できる。すなわち、デジタルカメラ１００Ｂの誤動作を低減できる。
【００４４】
（実施の形態４）
以下、図１および図１２〜図１３を用いて、実施の形態４を説明する。
【００４５】
［４−１．構成］
図１２は、実施の形態４に係るデジタルカメラ１００Ｃ内の構成を示す正面図である。本実施の形態に係るデジタルカメラ１００Ｃは、実施の形態３に係るデジタルカメラ１００Ｂに比較して、バッテリーケース１０Ｂに代えてバッテリーケース１０Ｃを備えた点のみが異なり、その他の点においてデジタルカメラ１００Ｂと同様に構成される。以下、実施の形態３との間の相違点のみを説明する。
【００４６】
図１２において、バッテリーケース１０Ｃは、バッテリーケース１０Ｂに比較して、切り起し部１５に代えて切り起し部１６を有する。ここで、切り起し部１６の先端は、切り起し部１６が金属製のレンズ鏡筒枠１３と誘導結合するように、所定の隙間を介してレンズ鏡筒枠１３の側面に近接している。具体的には、切り起こし１６とレンズ鏡筒枠１４３との間の間隔は、例えば、０．５ｍｍ以下である。また、レンズ鏡筒枠１３の表面において、切り起し部１６の先端が近接している部分には、塗装およびアルマイト処理は施されていない。後述するように、切り起し部１６は、レンズ鏡筒３において発生した静電気電流を接地に誘導する静電気誘導部として機能する。
【００４７】
［４−２．動作］
図１３は、図１２のデジタルカメラ１００Ｃにおける静電気電流の放電経路を示す経路図である。図１３において、レンズ鏡筒３が駆動されたとき、レンズ鏡筒３において静電気が発生し、レンズ鏡筒３およびその近傍の部分が帯電する。そして、レンズ鏡筒３の段間の隙間に、静電気放電により静電気電流が流れる。さらに、静電気電流は、レンズ鏡筒３から、レンズ鏡筒３に接触しているレンズ鏡筒枠１３に流れる。レンズ鏡筒枠１３と切り起し部１６とは、レンズ鏡筒枠１３と切り起し部１６との間の隙間を介して誘導結合するので、静電気電流は、レンズ鏡筒枠１３からこの隙間（非接触の経路である。）と切り起し部１６とを介して、静電気放電によりバッテリーケース１０Ｃの本体に流れる。バッテリーケース１０Ｃの本体に流れた静電気電流は、切り起し部１６と、外装ケース２０全体と、ユーザーとを含む放電経路を介して接地に流れる。
【００４８】
［４−３．効果等］
以上説明したように、実施の形態４のデジタルカメラ１００Ｃは、バッテリーケース１０Ｃと、撮影光学系の光軸方向に移動可能に設けられた金属製のレンズ鏡筒３とを備える。ここで、バッテリーケース１０Ｃは、バッテリーケース１０Ｃの一部を切り起こして形成された切り起し部１６を有し、切り起し部１６は、静電気により帯電したレンズ鏡筒３を、当該切り起こし部１６を含む放電経路を介して放電するように形成される。また、デジタルカメラ１００Ｃは、レンズ鏡筒３をデジタルカメラ１００Ｃの本体に固定する金属製のレンズ鏡筒枠１３を備え、切り起し部１６は、レンズ鏡筒枠１３に誘導結合される。
【００４９】
したがって、レンズ鏡筒３で発生した静電気電流は、電子基板９を介することなくレンズ鏡筒枠１３と、切り起し部１６と、バッテリーケース１０Ｃの本体とを含む放電経路を介して接地に流れ、帯電したレンズ鏡筒３は放電される。このため、電子基板９上に配置されている制御系ＬＳＩが誤動作することを回避できる。すなわち、デジタルカメラ１００Ｃの誤動作を低減できる。
【００５０】
（他の実施の形態）
以上のように、本開示における技術の例示として、実施の形態１〜４を説明した。しかしながら、本開示における技術は、これに限定されず、適宜、変更、置き換え、負荷、省略などを行った実施の形態にも適用可能である。また、上記各実施の形態１〜４で説明した各構成要素を組み合わせて、新たな実施の形態とすることも可能である。そこで、以下、他の実施の形態を例示する。
【００５１】
上記各実施の形態において、レンズ鏡筒３は２段式鏡筒であったが、本開示はこれに限られない。本開示は、３段又は４段などの多段式のレンズ鏡筒にも適用できる。
【００５２】
また、上記各実施の形態において、デジタルカメラ１００，１００Ａ，１００Ｂ，１００Ｃを例に挙げて説明したが、本開示は、これらのデジタルカメラ以外のデジタルスチルカメラおよびデジタルビデオカメラなどの撮像装置に適用できる。
【００５３】
さらに、上記各実施の形態において、フレキシブルケーブル１２は、バッテリーケース１０，１０Ａ，１０Ｂ，１０Ｃに面対向しないように離隔されたが、本開示はこれに限られない。フレキシブルケーブル１２は、フレキシブルケーブル１２がバッテリーケース１０，１０Ａ，１０Ｂ，１０Ｃと誘導結合しないように、バッテリーケース１０，１０Ａ，１０Ｂ，１０Ｃから離隔されればよい。
【００５４】
またさらに、上記各実施の形態において、レンズ鏡筒３において発生した静電気電流を、金属製のバッテリーケース１０，１０Ａ，１０Ｂ又は１０Ｃに流したが、本開示はこれに限られない。バッテリーケース１０，１０Ａ，１０Ｂ又は１０Ｃに代えて、レンズ鏡筒３において発生した静電気電流を流すための放電用の金属体を外装ケース２０内に設けてもよい。この場合、放電用の金属体は、上述した切り起し部１１，１４，１５又は１６を有する。ただし、バッテリーケース１０，１０Ａ，１０Ｂ又は１０Ｃを用いれば、従来技術に係るデジタルカメラに新たに部品を設ける必要がない。
【００５５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５６】
また、上述の実施の形態は、本開示における技術を例示するためのものであるから、特許請求の範囲またはその均等の範囲において種々の変更、置き換え、付加、省略などを行うことができる。
【産業上の利用可能性】
【００５７】
本開示は、デジタルカメラおよびデジタルビデオカメラ等の撮像装置に利用可能であって、特に、小型高倍率沈胴レンズを搭載した撮像装置等に有用である。
【符号の説明】
【００５８】
１  前面ケース
２  背面ケース
３  レンズ鏡筒
４  レンズ飾りリング
５  シャッターボタン
６  レンズユニット
７  ズームモータ
８  フォーカスモータ
９  電子基板
１０  バッテリーケース
１０ａ  開口部
１１、１４、１５、１６  切り起し部
１２  フレキシブルケーブル
１３  レンズ鏡筒枠
２０  外装ケース
１００、１００Ａ、１００Ｂ、１００Ｃ  デジタルカメラ
【図１】
2014049896.tif 000003
【図２】
2014049896.tif 000004
【図３】
2014049896.tif 000005
【図４】
2014049896.tif 000006
【図５】
2014049896.tif 000007
【図６】
2014049896.tif 000008
【図７】
2014049896.tif 000009
【図８】
2014049896.tif 000010
【図９】
2014049896.tif 000011
【図１０】
2014049896.tif 000012
【図１１】
2014049896.tif 000013
【図１２】
2014049896.tif 000014
【図１３】
2014049896.tif 000015
【手続補正書】
【提出日】平成25年11月1日(2013.11.1)
【手続補正１】
【補正対象書類名】明細書
【補正対象項目名】全文
【補正方法】変更
【補正の内容】
【発明の詳細な説明】
【技術分野】
【０００１】
本開示は、撮像装置に関する。
【背景技術】
【０００２】
特許文献１は、静電気により帯電した突出状態の鏡筒から、静電気放電によって生じる電流を接地に逃がす撮像装置を開示する。この撮像装置は、制御信号が供給される第１配線部とは別に、一端がレンズ枠上に接続され他端が接地電位に電気的に接続された第２配線部を、鏡筒内部に配設されたフレキシブル基板に設ける。これにより、鏡筒が突出状態にある際に静電気放電によって生じる電流を、第２配線部を介して接地に逃がすことができる。
【先行技術文献】
【特許文献】
【０００３】
【特許文献１】特開２００５−３０１１５８号公報
【特許文献２】特許第４１２０９４０号公報
【特許文献３】特許第４５９４７０５号公報
【特許文献４】特許第４９６１３６０号公報
【特許文献５】特開２０１０−７２０９６号公報
【特許文献６】米国特許第７０５７６４２号明細書
【発明の概要】
【発明が解決しようとする課題】
【０００４】
本開示は、静電気による誤動作を軽減するのに有効な撮像装置を提供する。
【課題を解決するための手段】
【０００５】
本開示における撮像装置は、金属体と、撮影光学系の光軸方向に移動可能に設けられた金属製のレンズ鏡筒とを備えた撮像装置であって、金属体は、金属体の一部を切り起こして形成された切り起し部を有し、切り起し部は、静電気により帯電したレンズ鏡筒を、当該切り起こし部を含む放電経路を介して放電するように形成される。
【発明の効果】
【０００６】
本開示における撮像装置は、静電気による誤動作を軽減するのに有効である。
【図面の簡単な説明】
【０００７】
【図１】実施の形態１に係るデジタルカメラ１００の外観を示す斜視図
【図２】図１の前面ケース１およびレンズ飾りリング４を取り外したときのデジタルカメラ１００の構成を示す正面図
【図３】図２の正面図からバッテリーケース１０をさらに取り外したときのデジタルカメラ１００の構成を示す正面図
【図４】図２のバッテリーケース１０に設けられた切り起し部１１の構成を示す斜視図
【図５】図１の前面ケース１と、バッテリーケース１０と、切り起し部１１と、レンズ飾りリング４とを示す斜視図
【図６】図２のＡ−Ａ’線における断面図
【図７】図１のデジタルカメラ１００における静電気電流の放電経路を示す経路図
【図８】実施の形態２に係るデジタルカメラ１００Ａの前面ケース１と、バッテリーケース１０Ａと、切り起し部１４と、レンズ飾りリング４とを示す斜視図
【図９】図８のデジタルカメラ１００Ａにおける静電気電流の放電経路を示す経路図
【図１０】実施の形態３に係るデジタルカメラ１００Ｂ内の構成を示す正面図
【図１１】図１０のデジタルカメラ１００Ｂにおける静電気電流の放電経路を示す経路図
【図１２】実施の形態４に係るデジタルカメラ１００Ｃ内の構成を示す正面図
【図１３】図１２のデジタルカメラ１００Ｃにおける静電気電流の放電経路を示す経路図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者らは、当業者が本開示を十分に理解するために添付図面および以下の説明を提供するのであって、これらによって特許請求の範囲に記載の主題を限定することを意図するものではない。
【００１０】
ユーザーがデジタルスチルカメラやデジタルビデオカメラ等の撮像装置に触れたときなどに、撮像装置の筐体外装において静電気が発生し、筐体外装から装置内部の金属部品および電気回路に電流が流れ込む。以下、静電気に起因して流れる電流を静電気電流という。静電エネルギーが大きい場合には、撮像装置の動作を制御する電気回路および電気回路を動作させるために設けられる電源回路にまで静電気電流が流れ込む。静電気電流は、撮像装置の機能の動作不良を引き起こし、場合によっては、電気回路上に実装されている電子部品の破壊等の悪影響を撮像装置に及ぼす。
【００１１】
近年、デザイン加飾および落下衝撃に対する強度確保の観点から、レンズ鏡筒の金属化が主流となっている。また、レンズ鏡筒と金属製の外装との間に、狭空間が増加する傾向にある。このような狭空間おいて静電気が発生すると、静電気放電が発生しやすい。また、金属導体間の狭空間の放電抵抗は比較的小さいので、金属導体が互いに誘導結合し、静電エネルギーが大きくなることが知られている。さらに、光学系の技術的な進歩に伴い、撮像装置には、高倍率（高ズーム）化した小型沈胴レンズも搭載されている。小型沈胴レンズは、同心円状の多段構成の金属鏡筒構造を有しており、このことも、金属導体間の狭空間における静電エネルギー増大の要因となる。また、撮像装置の小型化に伴い金属導体部品間の間隔が狭くなっており、静電気電流がフレキシブル基板に流れやすくなっている。
【００１２】
撮影時に筐体外装から突出する沈胴式のレンズ鏡筒は、ズーム動作時などに動くので、レンズ鏡筒と筐体外装との間には所定の空隙が設けてられている。また、鏡筒の内部には、ズームおよびフォーカスなどのレンズ動作を制御する電気回路から、動作部に制御信号を供給するフレキシブル基板が配設されている。このような撮像装置においては、静電気により帯電したレンズ鏡筒部分などから、気中放電によりフレキシブル基板に静電気電流が流れ込んだ場合でも、フレキシブル基板を介して電気回路に静電気流が流れ、電気回路の動作および電気回路を構成する電子部品に悪影響を与える恐れがある。
【００１３】
本願の発明者らは、このような課題を解決するために、静電気に起因する撮像装置の誤作動を効率良く低減させる構成について検討と実験を行なった。
【００１４】
（実施の形態１）
以下、図１〜図７を用いて、実施の形態１を説明する。
【００１５】
［１−１．構成］
図１は、実施の形態１に係るデジタルカメラ１００の外観を示す斜視図であり、図２は、図１の前面ケース１およびレンズ飾りリング４を取り外したときのデジタルカメラ１００の構成を示す正面図である。また、図３は、図２の正面図からバッテリーケース１０をさらに取り外したときのデジタルカメラ１００の構成を示す正面図であり、図４は、図２のバッテリーケース１０に設けられた切り起し部１１の構成を示す斜視図である。さらに、図５は、図１の前面ケース１と、バッテリーケース１０と、切り起し部１１と、レンズ飾りリング４とを示す斜視図であり、図６は図２のＡ−Ａ’線における断面図である。なお、本実施の形態および以下の各実施の形態において、説明の便宜上、デジタルカメラ１００，１００Ａ，１００Ｂおよび１００Ｃの被写体側の面を前面といい、撮像面側の面を後ろまたは背面という。
【００１６】
図１〜図３に示すように、デジタルカメラ１００は、金属製の前面ケース１と、金属製の背面ケース２と、金属製のレンズ飾りリング４とからなる外装ケース２０内に、カメラ本体およびバッテリーケース１０を収容することにより構成されている。前面ケース１と、背面ケース２と、レンズ飾りリング４とを含む外装ケース２０の表面は、塗装およびアルマイト処理により非導通にされている。また、図１において、外装ケース２０の上面部には、ユーザーによるシャッター操作を受け付けるシャッターボタン５などの操作ボタンが設けられている。外装ケース２０の前面の前面ケース１は、レンズ鏡筒３をデジタルカメラ１００の内部から外部に露出させるための開口部１０ａを有している。レンズ飾りリング４は前面ケース１の開口部１０ａの前面側に固定されており、レンズ鏡筒３は、レンズ飾りリング４内に設けられている。ここで、レンズ鏡筒３とレンズ飾りリング４との間には所定の隙間が設けられている。さらに、レンズ鏡筒３は、レンズ鏡筒３をカメラ本体に固定するための金属製のレンズ鏡筒枠１３に固定されている。また、図示していないが、外装ケース２０の背面の背面ケース２には、カメラモニタ、電子ビューファインダーおよび液晶ディスプレイなどが設けられている。
【００１７】
図２に示すように、カメラ本体は、レンズ鏡筒３と、レンズ鏡筒枠１３と、レンズ鏡筒３を収納する樹脂製のレンズユニット６と、レンズ鏡筒３を駆動するズームモータ７およびフォーカスモータ８と、電子基板９（図３参照。）と、フレキシブルケーブル１２と、イメージセンサー（図示せず。）とを備えて構成される。カメラ本体の各部品３，６〜９，１２，１３は、外装ケース内の空間の所定の各位置にそれぞれ配置される。
【００１８】
ここで、レンズ鏡筒３は、外装ケース２０の外部に露出する態様で、かつ、撮影光学系の光軸方向に移動可能に設けられた同心円状の２段式鏡筒である。レンズ鏡筒３はアルミニウムなどの金属製で、表面にアルマイト処理や塗装がなされている。レンズ鏡筒３は、図２に示す収納状態から図１に示す撮影時のズーム状態に応じて伸縮するように制御される。また、イメージセンサーは、レンズ鏡筒３の背面に配置され、レンズ鏡筒３を含む撮影光学系によって結像された光学像を撮像するＣＣＤ（Charge Coupled Device）またはＣＭＯＳ（Complementary Metal Oxide Semiconductor Image Sensor）などで構成される。レンズ鏡筒３は、レンズを介して入射される被写体の光学像である被写体像を、イメージセンサーに照射する。イメージセンサーは、照射された被写体像を画像データに変換して、静止画データおよび動画データなどを生成する。
【００１９】
図２において、バッテリーケース１０は外装ケース２０内に設けられる。バッテリーケース１０は、アルミニウムなどの金属材料で形成されており、図２の紙面に実質的に平行な矩形形状を有し、デジタルカメラ１００の電源であるバッテリー（図示せず。）を収容する。図４に示すように、バッテリーケース１０のレンズ鏡筒３側の部分は、デジタルカメラ１００の背面に向けて実質的に直角に折り曲げられ、側面１０ｓを構成する。さらに、バッテリーケース１０は、バッテリーケース１０のレンズ鏡筒３側の一部を前面ケース１側に切り起こして形成された切り起し部１１を有する。ここで、図５に示すように、切り起し部１１の先端は前面ケース１に接触している。また、前面ケース１の表面において、切り起し部１１の先端が接触している部分には、塗装およびアルマイト処理は施されていない。これにより、切り起し部１１は前面ケース１に電気的に接続され、切り起し部１１と前面ケース１とは導通状態にされている。後述するように、切り起し部１１は、レンズ鏡筒３において発生した静電気電流を接地に誘導する静電気誘導部として機能する。
【００２０】
図３に示すように、電子基板９はバッテリーケース１０の背面に設けられる。電子基板９には、制御系ＬＳＩ（Large Scale Integration）などの電気回路が配置され、例えばＦＰＣ（Flexible Printed Circuit）ケーブルであるフレキシブルケーブル１２の一端のコネクタ１２ｃに接続される。さらに、フレキシブルケーブル１２の他端はズームモータ７およびフォーカスモータ８に接続される。電子基板９からの制御信号は、フレキシブルケーブル１２を介してズームモータ７およびフォーカスモータ８に出力される。
【００２１】
図３において、フレキシブルケーブル１２と、バッテリーケース１０とは、レンズ鏡筒３の外周に設けられる。ここで、図６に示すように、フレキシブルケーブル１２は、フレキシブルケーブル１２がバッテリーケース１０と誘導結合しないように、バッテリーケース１０から離隔される。具体的には、フレキシブルケーブル１２は、バッテリーケース１０のレンズ鏡筒３側の側面１０ｓに面対向しない（平行にならない）位置に、バッテリーケース１０との間に所定の間隔を設けて配置される。これにより、バッテリーケース１０とフレキシブルケーブル１２との間で静電気放電が起きない。
【００２２】
［１−２．動作］
次に、レンズ鏡筒３で発生した静電気に起因する静電気電流を、接地に逃がす経路を説明する。
【００２３】
図７は、図１のデジタルカメラ１００における静電気電流の放電経路を示す経路図である。図７および以下の図９、図１１および図１３において、ハッチングされた矢印は、当該矢印の両端に記載された２つの構成要素間の接触している経路を表す。このとき、矢印の両端に記載された構成要素は互いに接触し、接触している経路を介して電気的に接続され、導通状態にある。また、ハッチングされていない矢印は、当該矢印の両側に記載された２つの構成要素間の非接触の経路を表す。このとき、矢印の両側に記載された構成要素は互いに接触せずに近接しており、非接触の経路を介して誘導結合している。
【００２４】
図７において、レンズ鏡筒３が駆動されたとき、レンズ鏡筒３において静電気が発生し、レンズ鏡筒３およびその近傍の部分が帯電する。そして、レンズ鏡筒３の段間の隙間に、静電気放電により静電気電流が流れる。さらに、レンズ鏡筒３とレンズ飾りリング４とは、レンズ鏡筒３とレンズ飾りリング４との間の隙間を介して誘導結合するので、静電気電流は、レンズ鏡筒３からこの隙間（非接触の経路である。）を介してレンズ飾りリング４に流れる。そして、レンズ飾りリング４から、前面ケース１と、前面ケース１に接触している切り起し部１１とを介して、バッテリーケース１０の本体に流れる。バッテリーケース１０の本体に流れた静電気電流は、切り起し部１１と、外装ケース２０全体と、ユーザーとを含む放電経路を介して接地に流れる。
【００２５】
［１−３．効果等］
以上説明したように、実施の形態１のデジタルカメラ１００は、バッテリーケース１０と、撮影光学系の光軸方向に移動可能に設けられた金属製のレンズ鏡筒３とを備える。ここで、バッテリーケース１０は、バッテリーケース１０の一部を切り起こして形成された切り起し部１１を有し、切り起し部１１は、静電気により帯電したレンズ鏡筒３を、当該切り起こし部１１を含む放電経路を介して放電するように形成される。また、デジタルカメラ１００は、レンズ鏡筒３をデジタルカメラ１００の内部から外部に露出させる開口部１０ａを有する金属製の外装ケース２０を備え、切り起し部１１は、外装ケース２０に電気的に接続される。
【００２６】
したがって、レンズ鏡筒３で発生した静電気電流は、電子基板９を介することなく、外装ケース２０のレンズ飾りリング４及び前面ケース１と、切り起し部１１と、バッテリーケース１０の本体とを含む放電経路を介して接地に流れ、帯電したレンズ鏡筒３は放電される。このため、電子基板９上に配置されている制御系ＬＳＩが誤動作することを回避できる。すなわち、デジタルカメラ１００の誤動作を低減できる。
【００２７】
また、フレキシブルケーブル１２は、バッテリーケース１０と面対向しない位置に配置され、バッテリーケース１０から離隔された。バッテリーケース１０に流れる静電気電流は高周波電流であるため、表皮効果によりバッテリーケース１０の表面にしか流れない。さらに、バッテリーケース１０において、高周波電流に比例した高週波磁界が発生する。このため、フレキシブルケーブル１２がバッテリーケース１０の側面１０ｓと面対向する位置に設けられた場合、フレキシブルケーブル１２がバッテリーケース１０と誘導結合し、フレキシブルケーブル１２に誘導起電力が発生し、フレキシブルケーブル１２を介して電子基板９上の制御系ＬＳＩに電流が流れる。この結果、電子基板９上の制御系ＬＳＩは誤作動する。これに対して、本実施の形態では、フレキシブルケーブル１２は、バッテリーケース１０と面対向しない位置に配置されたので、フレキシブルケーブル１２がバッテリーケース１０と誘導結合することを防止できる。したがって、電子基板９上の制御系ＬＳＩが誤作動することを防止できる。
【００２８】
なお、本実施の形態において、切り起し部１１は前面ケース１に接触したが、本開示はこれに限られない。切り起し部１１を、前面ケース１と誘導結合するように、所定の隙間を介して前面ケース１に近接して設けてもよい。この場合、切り起こし１１と前面ケース１との間の間隔は、例えば、０．５ｍｍ以下に設定される。
【００２９】
（実施の形態２）
以下、図１〜図３および図８〜図９を用いて、実施の形態２を説明する。
【００３０】
［２−１．構成］
図８は、実施の形態２に係るデジタルカメラ１００Ａの前面ケース１と、バッテリーケース１０Ａと、切り起し部１４と、レンズ飾りリング４とを示す斜視図である。本実施の形態に係るデジタルカメラ１００Ａは、実施の形態１に係るデジタルカメラ１００に比較して、バッテリーケース１０に代えてバッテリーケース１０Ａを備えた点のみが異なり、その他の点においてデジタルカメラ１００と同様に構成される。以下、実施の形態１との間の相違点のみを説明する。
【００３１】
図８において、バッテリーケース１０Ａは、バッテリーケース１０に比較して、切り起し部１１に代えて切り起し部１４を有する。ここで、切り起し部１４の先端は金属製のレンズ飾りリング４に接触している。また、レンズ飾りリング４の表面において、切り起し部１４の先端が接触している部分には、塗装およびアルマイト処理は施されていない。これにより、切り起し部１４はレンズ飾りリング４に電気的に接続され、切り起し部１４とレンズ飾りリング４とは導通状態にされている。後述するように、切り起し部１４は、レンズ鏡筒３において発生した静電気電流を接地に誘導する静電気誘導部として機能する。
【００３２】
［２−２．動作］
次に、レンズ鏡筒３で発生した静電気に起因する静電気電流を、接地に逃がす経路を説明する。
【００３３】
図９は、図８のデジタルカメラ１００Ａにおける静電気電流の放電経路を示す経路図である。図９において、レンズ鏡筒３が駆動されたとき、レンズ鏡筒３において静電気が発生し、レンズ鏡筒３およびその近傍の部分が帯電する。そして、レンズ鏡筒３の段間の隙間に、静電気放電により静電気電流が流れる。さらに、レンズ鏡筒３とレンズ飾りリング４とは、レンズ鏡筒３とレンズ飾りリング４との間の隙間を介して誘導結合するので、静電気電流は、レンズ鏡筒３からこの隙間（非接触の経路である。）を介してレンズ飾りリング４に流れる。そして、レンズ飾りリング４から、レンズ飾りリング４に接触している切り起し部１４を介して、バッテリーケース１０Ａの本体に流れる。バッテリーケース１０Ａの本体に流れた静電気電流は、切り起し部１４と、外装ケース２０全体と、ユーザーとを含む放電経路を介して接地に流れる。
【００３４】
［２−３．効果等］
以上説明したように、実施の形態２のデジタルカメラ１００Ａは、バッテリーケース１０Ａと、撮影光学系の光軸方向に移動可能に設けられた金属製のレンズ鏡筒３とを備える。ここで、バッテリーケース１０Ａは、バッテリーケース１０Ａの一部を切り起こして形成された切り起し部１４を有し、切り起し部１４は、静電気により帯電したレンズ鏡筒３を、当該切り起こし部１４を含む放電経路を介して放電するように形成される。また、デジタルカメラ１００Ａは、レンズ鏡筒３をデジタルカメラ１００Ａの内部から外部に露出させる開口部１０ａを有する金属製の外装ケース２０を備え、外装ケース２０は、開口部１０ａに設けられた金属製のレンズ飾りリング４を備え、切り起し部１４は、レンズ飾りリング４に電気的に接続される。
【００３５】
したがって、レンズ鏡筒３で発生した静電気電流は、電子基板９を介することなく、レンズ飾りリング４と、切り起し部１４と、バッテリーケース１０Ａの本体とを含む放電経路を介して接地に流れ、帯電したレンズ鏡筒３は放電される。このため、電子基板９上に配置されている制御系ＬＳＩが誤動作することを回避できる。すなわち、デジタルカメラ１００Ａの誤動作を低減できる。
【００３６】
なお、本実施の形態において、切り起し部１４はレンズ飾りリング４に接触したが、本開示はこれに限られない。切り起し部１４を、レンズ飾りリング４と誘導結合するように、所定の隙間を介してレンズ飾りリング４に近接して設けてもよい。この場合、切り起こし１４とレンズ飾りリング４との間の間隔は、例えば、０．５ｍｍ以下に設定される。
【００３７】
（実施の形態３）
以下、図１および図１０〜図１１を用いて、実施の形態３を説明する。
【００３８】
［３−１．構成］
図１０は、実施の形態３に係るデジタルカメラ１００Ｂ内の構成を示す正面図である。本実施の形態に係るデジタルカメラ１００Ｂは、実施の形態１に係るデジタルカメラ１００に比較して、バッテリーケース１０に代えてバッテリーケース１０Ｂを備えた点のみが異なり、その他の点においてデジタルカメラ１００と同様に構成される。以下、実施の形態１との間の相違点のみを説明する。
【００３９】
図１０において、バッテリーケース１０Ｂは、バッテリーケース１０に比較して、切り起し部１１に代えて切り起し部１５を有する。ここで、切り起し部１５の先端は金属製のレンズ鏡筒枠１３の側面に接触している。また、レンズ鏡筒枠１３の表面において、切り起し部１５の先端が接触している部分には、塗装およびアルマイト処理は施されていない。これにより、切り起し部１５はレンズ鏡筒枠１３に電気的に接続され、切り起し部１５とレンズ鏡筒枠１３とは導通状態にされている。後述するように、切り起し部１５は、レンズ鏡筒３において発生した静電気電流を接地に誘導する静電気誘導部として機能する。
【００４０】
［３−２．動作］
次に、レンズ鏡筒３で発生した静電気に起因する静電気電流を、接地に逃がす経路を説明する。
【００４１】
図１１は、図１０のデジタルカメラ１００Ｂにおける静電気電流の放電経路を示す経路図である。図１１において、レンズ鏡筒３が駆動されたとき、レンズ鏡筒３において静電気が発生し、レンズ鏡筒３およびその近傍の部分が帯電する。そして、レンズ鏡筒３の段間の隙間に、静電気放電により静電気電流が流れる。さらに、静電気電流は、レンズ鏡筒３から、レンズ鏡筒３に接触しているレンズ鏡筒枠１３に流れる。そして、レンズ鏡筒枠１３から、レンズ鏡筒枠１３に接触している切り起し部１５を介して、バッテリーケース１０Ｂの本体に流れる。バッテリーケース１０Ｂの本体に流れた静電気電流は、切り起し部１５と、外装ケース２０全体と、ユーザーとを含む放電経路を介して接地に流れる。
【００４２】
［３−３．効果等］
以上説明したように、実施の形態３のデジタルカメラ１００Ｂは、バッテリーケース１０Ｂと、撮影光学系の光軸方向に移動可能に設けられた金属製のレンズ鏡筒３とを備える。ここで、バッテリーケース１０Ｂは、バッテリーケース１０Ｂの一部を切り起こして形成された切り起し部１５を有し、切り起し部１５は、静電気により帯電したレンズ鏡筒３を、当該切り起こし部１５を含む放電経路を介して放電するように形成される。また、デジタルカメラ１００Ｂは、レンズ鏡筒３をデジタルカメラ１００Ｂの本体に固定する金属製のレンズ鏡筒枠１３を備え、切り起し部１５は、レンズ鏡筒枠１３に電気的に接続される。
【００４３】
したがって、レンズ鏡筒３で発生した静電気電流は、電子基板９を介することなくレンズ鏡筒枠１３と、切り起し部１５と、バッテリーケース１０Ｂの本体とを含む放電経路を介して接地に流れ、帯電したレンズ鏡筒３は放電される。このため、電子基板９上に配置されている制御系ＬＳＩが誤動作することを回避できる。すなわち、デジタルカメラ１００Ｂの誤動作を低減できる。
【００４４】
（実施の形態４）
以下、図１および図１２〜図１３を用いて、実施の形態４を説明する。
【００４５】
［４−１．構成］
図１２は、実施の形態４に係るデジタルカメラ１００Ｃ内の構成を示す正面図である。本実施の形態に係るデジタルカメラ１００Ｃは、実施の形態３に係るデジタルカメラ１００Ｂに比較して、バッテリーケース１０Ｂに代えてバッテリーケース１０Ｃを備えた点のみが異なり、その他の点においてデジタルカメラ１００Ｂと同様に構成される。以下、実施の形態３との間の相違点のみを説明する。
【００４６】
図１２において、バッテリーケース１０Ｃは、バッテリーケース１０Ｂに比較して、切り起し部１５に代えて切り起し部１６を有する。ここで、切り起し部１６の先端は、切り起し部１６が金属製のレンズ鏡筒枠１３と誘導結合するように、所定の隙間を介してレンズ鏡筒枠１３の側面に近接している。具体的には、切り起こし１６とレンズ鏡筒枠１３との間の間隔は、例えば、０．５ｍｍ以下である。また、レンズ鏡筒枠１３の表面において、切り起し部１６の先端が近接している部分には、塗装およびアルマイト処理は施されていない。後述するように、切り起し部１６は、レンズ鏡筒３において発生した静電気電流を接地に誘導する静電気誘導部として機能する。
【００４７】
［４−２．動作］
図１３は、図１２のデジタルカメラ１００Ｃにおける静電気電流の放電経路を示す経路図である。図１３において、レンズ鏡筒３が駆動されたとき、レンズ鏡筒３において静電気が発生し、レンズ鏡筒３およびその近傍の部分が帯電する。そして、レンズ鏡筒３の段間の隙間に、静電気放電により静電気電流が流れる。さらに、静電気電流は、レンズ鏡筒３から、レンズ鏡筒３に接触しているレンズ鏡筒枠１３に流れる。レンズ鏡筒枠１３と切り起し部１６とは、レンズ鏡筒枠１３と切り起し部１６との間の隙間を介して誘導結合するので、静電気電流は、レンズ鏡筒枠１３からこの隙間（非接触の経路である。）と切り起し部１６とを介して、静電気放電によりバッテリーケース１０Ｃの本体に流れる。バッテリーケース１０Ｃの本体に流れた静電気電流は、切り起し部１６と、外装ケース２０全体と、ユーザーとを含む放電経路を介して接地に流れる。
【００４８】
［４−３．効果等］
以上説明したように、実施の形態４のデジタルカメラ１００Ｃは、バッテリーケース１０Ｃと、撮影光学系の光軸方向に移動可能に設けられた金属製のレンズ鏡筒３とを備える。ここで、バッテリーケース１０Ｃは、バッテリーケース１０Ｃの一部を切り起こして形成された切り起し部１６を有し、切り起し部１６は、静電気により帯電したレンズ鏡筒３を、当該切り起こし部１６を含む放電経路を介して放電するように形成される。また、デジタルカメラ１００Ｃは、レンズ鏡筒３をデジタルカメラ１００Ｃの本体に固定する金属製のレンズ鏡筒枠１３を備え、切り起し部１６は、レンズ鏡筒枠１３に誘導結合される。
【００４９】
したがって、レンズ鏡筒３で発生した静電気電流は、電子基板９を介することなくレンズ鏡筒枠１３と、切り起し部１６と、バッテリーケース１０Ｃの本体とを含む放電経路を介して接地に流れ、帯電したレンズ鏡筒３は放電される。このため、電子基板９上に配置されている制御系ＬＳＩが誤動作することを回避できる。すなわち、デジタルカメラ１００Ｃの誤動作を低減できる。
【００５０】
（他の実施の形態）
以上のように、本開示における技術の例示として、実施の形態１〜４を説明した。しかしながら、本開示における技術は、これに限定されず、適宜、変更、置き換え、負荷、省略などを行った実施の形態にも適用可能である。また、上記各実施の形態１〜４で説明した各構成要素を組み合わせて、新たな実施の形態とすることも可能である。そこで、以下、他の実施の形態を例示する。
【００５１】
上記各実施の形態において、レンズ鏡筒３は２段式鏡筒であったが、本開示はこれに限られない。本開示は、３段又は４段などの多段式のレンズ鏡筒にも適用できる。
【００５２】
また、上記各実施の形態において、デジタルカメラ１００，１００Ａ，１００Ｂ，１００Ｃを例に挙げて説明したが、本開示は、これらのデジタルカメラ以外のデジタルスチルカメラおよびデジタルビデオカメラなどの撮像装置に適用できる。
【００５３】
さらに、上記各実施の形態において、フレキシブルケーブル１２は、バッテリーケース１０，１０Ａ，１０Ｂ，１０Ｃに面対向しないように離隔されたが、本開示はこれに限られない。フレキシブルケーブル１２は、フレキシブルケーブル１２がバッテリーケース１０，１０Ａ，１０Ｂ，１０Ｃと誘導結合しないように、バッテリーケース１０，１０Ａ，１０Ｂ，１０Ｃから離隔されればよい。
【００５４】
またさらに、上記各実施の形態において、レンズ鏡筒３において発生した静電気電流を、金属製のバッテリーケース１０，１０Ａ，１０Ｂ又は１０Ｃに流したが、本開示はこれに限られない。バッテリーケース１０，１０Ａ，１０Ｂ又は１０Ｃに代えて、レンズ鏡筒３において発生した静電気電流を流すための放電用の金属体を外装ケース２０内に設けてもよい。この場合、放電用の金属体は、上述した切り起し部１１，１４，１５又は１６を有する。ただし、バッテリーケース１０，１０Ａ，１０Ｂ又は１０Ｃを用いれば、従来技術に係るデジタルカメラに新たに部品を設ける必要がない。
【００５５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５６】
また、上述の実施の形態は、本開示における技術を例示するためのものであるから、特許請求の範囲またはその均等の範囲において種々の変更、置き換え、付加、省略などを行うことができる。
【産業上の利用可能性】
【００５７】
本開示は、デジタルカメラおよびデジタルビデオカメラ等の撮像装置に利用可能であって、特に、小型高倍率沈胴レンズを搭載した撮像装置等に有用である。
【符号の説明】
【００５８】
１  前面ケース
２  背面ケース
３  レンズ鏡筒
４  レンズ飾りリング
５  シャッターボタン
６  レンズユニット
７  ズームモータ
８  フォーカスモータ
９  電子基板
１０  バッテリーケース
１０ａ  開口部
１１、１４、１５、１６  切り起し部
１２  フレキシブルケーブル
１３  レンズ鏡筒枠
２０  外装ケース
１００、１００Ａ、１００Ｂ、１００Ｃ  デジタルカメラ
【手続補正２】
【補正対象書類名】特許請求の範囲
【補正対象項目名】全文
【補正方法】変更
【補正の内容】
【特許請求の範囲】
【請求項１】
金属体と、
撮影光学系の光軸方向に移動可能に設けられた金属製のレンズ鏡筒と、
上記レンズ鏡筒を上記撮像装置の内部から外部に露出させる開口部を有する金属製の外装ケースを備え、
上記金属体は、上記金属体の一部を切り起こして形成された切り起し部を有し、
上記切り起し部は、上記外装ケースに電気的に接続又は上記外装ケースに誘導結合され、
上記切り起し部は、静電気により帯電した上記レンズ鏡筒を、当該切り起こし部を含む放電経路を介して放電するように形成され、
上記レンズ鏡筒で発生した静電気電流は、電子基板を介することなく、上記外装ケースと、上記切り起し部と、上記金属体とを含む放電経路を介して接地に流れ、帯電したレンズ鏡筒は放電される撮像装置。
【請求項２】
金属体と、
撮影光学系の光軸方向に移動可能に設けられた金属製のレンズ鏡筒と、
上記レンズ鏡筒を上記撮像装置の内部から外部に露出させる開口部を有する金属製の外装ケースを備え、
上記金属体は、上記金属体の一部を切り起こして形成された切り起し部を有し、
上記外装ケースは、上記開口部に設けられた金属製のレンズ飾りリングを備え、
上記切り起し部は、上記レンズ飾りリングに電気的に接続又は上記レンズ飾りリングに誘導結合され、
上記レンズ鏡筒で発生した静電気電流は、電子基板を介することなく、上記レンズ飾りリングと、上記切り起し部と、上記金属体とを含む放電経路を介して接地に流れ、帯電したレンズ鏡筒は放電される撮像装置。
【請求項３】
金属体と、
撮影光学系の光軸方向に移動可能に設けられた金属製のレンズ鏡筒と、
上記レンズ鏡筒を上記撮像装置の内部から外部に露出させる開口部を有する金属製の外装ケースと、
上記レンズ鏡筒を上記撮像装置の本体に固定する金属製のレンズ鏡筒枠を備え、
上記金属体は、上記金属体の一部を切り起こして形成された切り起し部を有し、
上記切り起し部は、上記レンズ鏡筒枠に電気的に接続又は上記レンズ鏡筒枠に誘導結合され、
上記レンズ鏡筒で発生した静電気電流は、電子基板を介することなく、上記レンズ鏡筒枠と、上記切り起し部と、上記金属体とを含む放電経路を介して接地に流れ、帯電したレンズ鏡筒は放電される撮像装置。
【請求項４】
上記撮像装置は、フレキシブルケーブルを備え、
上記フレキシブルケーブルは、上記金属体と誘導結合しないように離隔された請求項１から３までのうちのいずれか１つに記載の撮像装置。
【請求項５】
上記フレキシブルケーブルは、上記金属体に面対向しないように離隔された請求項４記載の撮像装置。
【請求項６】
上記金属体は、バッテリーを収容する金属製のバッテリーケースである請求項１から５までのうちのいずれか１つに記載の撮像装置。
【請求項７】
上記切り起し部は、上記金属体のレンズ鏡筒側の一部を切り起こして形成された、請求項１記載の撮像装置。
【手続補正３】
【補正対象書類名】図面
【補正対象項目名】全図
【補正方法】変更
【補正の内容】
【図１】
2014049896.tif 000016
【図２】
2014049896.tif 000017
【図３】
2014049896.tif 000018
【図４】
2014049896.tif 000019
【図５】
2014049896.tif 000020
【図６】
2014049896.tif 000021
【図７】
2014049896.tif 000022
【図８】
2014049896.tif 000023
【図９】
2014049896.tif 000024
【図１０】
2014049896.tif 000025
【図１１】
2014049896.tif 000026
【図１２】
2014049896.tif 000027
【図１３】
2014049896.tif 000028
【手続補正書】
【提出日】平成25年12月17日(2013.12.17)
【手続補正１】
【補正対象書類名】明細書
【補正対象項目名】００２７
【補正方法】変更
【補正の内容】
【００２７】
また、フレキシブルケーブル１２は、バッテリーケース１０と面対向しない位置に配置され、バッテリーケース１０から離隔された。バッテリーケース１０に流れる静電気電流は高周波電流であるため、表皮効果によりバッテリーケース１０の表面にしか流れない。さらに、バッテリーケース１０において、高周波電流に比例した高周波磁界が発生する。このため、フレキシブルケーブル１２がバッテリーケース１０の側面１０ｓと面対向する位置に設けられた場合、フレキシブルケーブル１２がバッテリーケース１０と誘導結合し、フレキシブルケーブル１２に誘導起電力が発生し、フレキシブルケーブル１２を介して電子基板９上の制御系ＬＳＩに電流が流れる。この結果、電子基板９上の制御系ＬＳＩは誤作動する。これに対して、本実施の形態では、フレキシブルケーブル１２は、バッテリーケース１０と面対向しない位置に配置されたので、フレキシブルケーブル１２がバッテリーケース１０と誘導結合することを防止できる。したがって、電子基板９上の制御系ＬＳＩが誤作動することを防止できる。
【手続補正２】
【補正対象書類名】明細書
【補正対象項目名】００５０
【補正方法】変更
【補正の内容】
【００５０】
（他の実施の形態）
以上のように、本開示における技術の例示として、実施の形態１〜４を説明した。しかしながら、本開示における技術は、これに限定されず、適宜、変更、置き換え、付加、省略などを行った実施の形態にも適用可能である。また、上記各実施の形態１〜４で説明した各構成要素を組み合わせて、新たな実施の形態とすることも可能である。そこで、以下、他の実施の形態を例示する。
【国際調査報告】
2014049896.tif 000029
2014049896.tif 000030
2014049896.tif 000031
2014049896.tif 000032
2014049896.tif 000033